(57)【要約】【課題】導光設備が結合される浴室ユニットであって、導光設備及び排気ダクトの構成が簡略な浴室ユニットを提供する。【解決手段】屋外から光を導入する光ダクトが結合される浴室ユニット１において、天井４を２枚のパネル材５及び６により構成する。そして、パネル材５は浴槽２側に配置し、パネル材６は洗い場３側に配置する。パネル材５には排気口１１及び放光口１３を形成し、パネル材６の中央部には点検口１５を形成する。放光口１３は光ダクトによって導入された光を放光する開口部である。そして、排気口１１及び放光口１３はパネル材５の長手方向に沿って配列し、排気口１１浴槽２の頭側に配置し、放光口１３を浴槽２の足側に配置する。【選択図】図２
2008082089.tif 000002
【特許請求の範囲】
【請求項１】
屋外から光を導入する導光設備が結合される浴室ユニットであって、
前記浴室ユニットの天井を構成する第１及び第２のパネル材と、
前記第１のパネル材に形成された排気口と、
前記第１のパネル材に形成され、前記導光設備により導入された光を前記浴室ユニット内に向けて放光する放光口と、
前記第２のパネル材に形成された点検口と、
を備え、
前記第１のパネル材は、前記浴室ユニットの浴槽側に配置されており、
前記第２のパネル材は、前記浴室ユニットの洗い場側に配置されており、
前記排気口及び前記放光口は、前記第１のパネル材の長手方向に沿って配列されていることを特徴とする浴室ユニット。
【請求項２】
前記排気口と前記放光口との間の距離は１００ミリメートル以上であることを特徴とする請求項１記載の浴室ユニット。
【請求項３】
前記排気口は、前記第１のパネル材における前記浴槽の頭側に配置されており、
前記放光口は、前記第１のパネル材における前記浴槽の足側に配置されていることを特徴とする請求項１または２に記載の浴室ユニット。
【発明の詳細な説明】
【技術分野】
【０００１】
本発明は、浴室ユニットに関し、特に、屋外から光を導入する導光設備が結合される浴室ユニットに関する。
【背景技術】
【０００２】
近年、住宅等の建築物に光ダクトを設ける技術が開発されている。光ダクトとは、建築物の屋外から屋内まで連通し、その内面が光反射面となった筒状の部材であり、屋外の自然光を屋内に導入するものである。建築物にこのような光ダクトを設けることにより、日中の豊富な自然光を室内の照明に利用することができるため、照明コストを節約し、省エネルギー効果及び環境負荷軽減効果を得ることができる。また、室内に自然光を導入することにより、室内の居住性を向上させることができる。
【０００３】
特許文献１には、浴室ユニットに連通された排気ダクトの内部に光ダクトを設けることにより、浴室ユニットに光ダクトを結合する技術が開示されている。この技術においては、排気ダクトの内部に光ダクトを収納しているため、光ダクトにより導入された外光を浴室ユニット内に放光する放光口は、浴室ユニット内の空気を排気ダクトに導入する排気口の内部に設けられるか、又は排気口に隣接して設けられている。
【０００４】
しかしながら、特許文献１に記載された技術においては、排気ダクトの内部に光ダクトを設けて共用ダクトを形成しているため、この共用ダクトの構成が複雑であり、外径が大きいと共に、コストが高い。また、排気ダクト及び光ダクトのそれぞれのメンテナンスが困難である。更に、通常、排気ダクトは建築物の外壁に引き出されているのに対し、光ダクトは、採光効率を高くするために、建築物の屋根に引き出されることが好ましい。しかしながら、特許文献１に記載の技術では、排気ダクトと光ダクトとを相互に異なる位置に引き出すことはできない。
【０００５】
【特許文献１】実開昭６０−０３３２４０号公報
【発明の開示】
【発明が解決しようとする課題】
【０００６】
本発明の目的は、導光設備が結合される浴室ユニットであって、導光設備及び排気ダクトの構成が簡略な浴室ユニットを提供することである。
【課題を解決するための手段】
【０００７】
本発明の一態様によれば、屋外から光を導入する導光設備が結合される浴室ユニットであって、前記浴室ユニットの天井を構成する第１及び第２のパネル材と、前記第１のパネル材に形成された排気口と、前記第１のパネル材に形成され、前記導光設備により導入された光を前記浴室ユニット内に向けて放光する放光口と、前記第２のパネル材に形成された点検口と、を備え、前記第１のパネル材は、前記浴室ユニットの浴槽側に配置されており、前記第２のパネル材は、前記浴室ユニットの洗い場側に配置されており、前記排気口及び前記放光口は、前記第１のパネル材の長手方向に沿って配列されていることを特徴とする浴室ユニットが提供される。
【発明の効果】
【０００８】
本発明によれば、導光設備が結合され、導光設備及び排気ダクトの構成が簡略な浴室ユニットを実現することができる。
【発明を実施するための最良の形態】
【０００９】
以下、図面を参照しつつ本発明の実施形態について説明する。  
先ず、本発明の第１の実施形態について説明する。  
図１は、本実施形態に係る浴室ユニットが設けられた建築物を例示する模式的断面図であり、  
図２は、本実施形態に係る浴室ユニットを例示する斜視図であり、  
図３は、この浴室ユニットを例示する模式的上面図である。
【００１０】
図１に示すように、本実施形態に係る浴室ユニット１は、建築物、例えば住宅１０１に設置されている。住宅１０１においては、導光設備としての光ダクト１０２が配設されている。光ダクト１０２の一方の端部は、例えば住宅１０１の屋根に設けられた採光部１０３に結合されており、他方の端部は、浴室ユニット１に結合されている。採光部１０３は、透明板からなるドームによって覆われており、砂や埃は通過させないが光は透過させる。光ダクト１０２の内部は中空であり、その内面は光反射面とされている。これにより、光ダクト１０２は、住宅１０１の外部から採光部１０３を介して導入された外光Ｌを、その内面において反射しつつ導光して、浴室ユニット１の内部まで導入する。
【００１１】
図１乃至図３に示すように、浴室ユニット１においては、床の一方の側に浴槽２が設けられており、他方の側が洗い場３となっている。また、浴室ユニット１の天井４は、２枚のパネル材５及び６により構成されている。パネル材５は浴槽２側に配置されており、パネル材６は洗い場３側の配置されており、相互に連結されている。パネル材５及び６の形状は、それぞれ長方形の板状である。
【００１２】
そして、パネル材５には排気口１１が形成されている。また、パネル材５上には、排気口１１を囲むように木製の枠組（図示せず）が設けられており、この枠組上に、排気口１１に連通された排気装置１２が設けられている。排気装置１２は、住宅１０１に配設された排気管１０４に接続されており、排気管１０４は、住宅１０１の外壁において開口している。これにより、排気口１１は、排気装置１２及び排気管１０４を介して住宅１０１の外部に連通されている。排気口１１の形状は例えば正方形であり、一辺の長さは例えば１００乃至１８０ミリメートルである。なお、排気装置１２の替わりに浴室乾燥機を設置してもよく、その場合には、排気口１１の大きさはもっと大きくなる。
【００１３】
また、パネル材５には放光口１３も形成されている。放光口１３は、光ダクト１０２により導入された外光Ｌを浴室ユニット１内に放光するための開口部であり、光ダクト１０２に光学的に結合されている。放光口１３の形状は例えば正方形であり、一辺の長さは例えば３００ミリメートルである。また、放光口１３には、例えば透明な樹脂からなる透光板１４が気密的にはめ込まれている。
【００１４】
そして、排気口１１及び放光口１３は、パネル材５の長手方向に沿って配列されており、排気口１１は浴槽２の頭側に配置されており、放光口１３は浴槽２の足側に配置されている。なお、浴槽の「頭側」及び「足側」とは、入浴者が浴槽内で通常の入浴姿勢をとったときに、それぞれ入浴者の頭及び足が位置する側である。通常、浴槽の足側の部分には、浴槽内に水を供給するための水栓が設けられており、浴室ユニットの側壁のうち浴槽の足側の面には、シャワーが設けられている。そして、一般的には、この足側の面に鏡が取り付けられている。排気口１１と放光口１３との間の距離ｄは、例えば１００ミリメートル以上とされている。
【００１５】
一例では、パネル材５を長手方向において２等分したときに、すなわち、パネル材５を長手方向に直交する仮想的な平面によって体積が等しい２つの部分５ａ及び５ｂに分割したときに、排気口１１は、浴槽２の頭側の部分５ａに形成されており、放光口１３は、浴槽２の足側の部分５ｂに形成されている。なお、パネル材５において、頭側の部分５ａと足側の部分５ｂとの間に実体的な境界構造はなく、パネル材５は一体的に形成されている。そして、排気口１１及び放光口１３とパネル材５の端縁とは、例えば１００ミリメートル以上離れている。
【００１６】
一方、パネル材６においては、例えば中央部に点検口１５が形成されている。点検口１５は、浴室ユニット１の天井４上に設けられた機能部材、たとえば、排気装置１２などを点検するための開口部であり、点検時に作業者が上半身を乗り出せる程度の大きさとされている。点検口１５の形状は例えば正方形であり、一辺の長さは例えば４５０ミリメートルである。また、点検口１５には点検口蓋１６が着脱可能に設けられており、非点検時には点検口蓋１６によって塞がれている。点検口１５とパネル材６の端縁とは、例えば１００ミリメートル以上離れている。
【００１７】
また、浴室ユニット１において、浴槽２の足側部分のリム上には、水栓２１が設けられている。また、浴室ユニット１の側壁であって、浴槽２の足側の面２２のうち、洗い場３側の領域には、入浴者のほぼ全身が映せるような大型の鏡２３が取り付けられている。そして、例えば、鏡２３の向かって右側の側方には多段の収納棚２４が造り付けられており、鏡２３の向かって左側の側方にはシャワー２５が取り付けられており、鏡２３の下方にはカウンター２６が設けられている。また、面２２における鏡２３よりも上方の領域には、例えば２個の人工照明２７が設けられている。
【００１８】
次に、本実施形態に係る浴室ユニットの動作について説明する。  
図１に示すように、住宅１０１の外部から外光Ｌ、例えば太陽光が、採光部１０３を介して光ダクト１０２の内部に導入される。この外光Ｌは、光ダクト１０２の内面によって繰り返し反射されながら光ダクト１０２内を伝達し、浴室ユニット１の放光口１３から、透光板１４を透過して、浴室ユニット１の内部に照射される。また、排気装置１２が作動することにより、排気口１１及び排気管１０４を介して、浴室ユニット１内の空気が住宅１０１の外部に排出される。
【００１９】
このとき、図２及び図３に示すように、放光口１３は、浴室ユニット１の天井４における浴槽２側に配置されたパネル材５に設けられているため、放光口１３から出射した光は、浴槽２に向けて照射される。また、放光口１３は、パネル材５における浴槽２の足側に配置されているため、放光口１３から放光された光の大部分は、浴槽２の足側の領域に向けて照射される。
【００２０】
次に、本実施形態の効果について説明する。  
本実施形態においては、放光口１３と排気口１１とが別々に設けられているため、光ダクト１０２と排気管１０４とを相互に独立して配設することができる。これにより、従来の排気管の設計を変更することなく、光ダクトを設けることができる。また、光ダクト１０２及び排気管１０４の構成を簡略化することができ、それぞれを小径化することができると共に、コストを低減することができる。更に、光ダクト１０２及び排気管１０４のそれぞれのメンテナンス性が良好になる。更にまた、光ダクト１０２を住宅１０１の屋根に引き出しつつ、排気管１０４を住宅１０１の外壁に引き出すことができる。
【００２１】
また、本実施形態においては、放光口１３は、天井４における浴槽２側に配置されたパネル材５に形成されている。このため、放光口１３から放光された光は、浴槽２に向けて照射される。これにより、浴槽２に水を溜めると、この水の水面を日光によって輝かせることができ、入浴者は、この水面の輝きを眺めて楽しむことができる。このとき、放光口１３はパネル材５の足側の領域に形成されているため、入浴者が入浴姿勢をとっているときは、主として自分の足元の水面が輝くことになる。これにより、入浴者は水面の輝きを容易に眺めることができる。
【００２２】
更に、入浴者が身体などを洗うために、洗い場３で鏡２３に向かっているときは、放光口１３から放光される外光が、入浴者の斜め前方から入浴者に向けて照射される。これにより、入浴者が身体などを洗う際の作業性が向上する。
【００２３】
更にまた、点検口１５は排気口１１及び放光口１３の双方から離隔しているため、点検作業者が点検口１５から上半身を乗り出したときに、排気口１１上に設けられた排気装置１２及び放光口１３上に設けられた光ダクト１０２との間に、適度な距離をとることができる。このため、排気装置１２及び光ダクト１０２などの点検作業性が良好である。
【００２４】
更にまた、本実施形態においては、天井４が２枚のパネル材５及び６により構成されているため、浴室ユニット１の住宅１０１への搬入性及び住宅１０１内における施工性が良好である。そして、排気口１１及び放光口１３と、点検口１５とが相互に異なるパネル材に形成されているため、パネル材の強度を確保することができる。また、排気口１１と放光口１３との間の距離ｄが１００ミリメートル以上であるため、パネル材の強度をより一層向上させることができる。これに対して、排気口、点検口及び放光口を１枚のパネル材に形成したり、相互に接するように形成したりすると、パネル材が脆弱になるため、パネル材を厚くするなどの対策が必要となり、コストが増加する。
【００２５】
次に、本発明の第２の実施形態について説明する。  
図４は、この浴室ユニットを例示する模式的上面図である。  
図４に示すように、本実施形態に係る浴室ユニット３１においては、排気口１１はパネル材５における浴槽２の足側に形成されており、放光口１３は頭側に形成されている。そして、排気口１１と放光口１３との間の距離ｄは、例えば１００ミリメートル以上とされている。例えば、パネル材５を頭側の部分５ａ及び足側の部分５ｂに二等分したときに、排気口１１は足側の部分５ｂに配置されており、放光口１３は頭側の部分５ａに配置されている。本実施形態における上記以外の構成及び動作は、前述の第１の実施形態と同様である。
【００２６】
本実施形態においても、放光口１３と排気口１１とが別々に設けられているため、光ダクト１０２と排気管１０４とを相互に独立して配設することができる。このため、従来の排気管の設計を変更する必要がない。また、光ダクト１０２及び排気管１０４の構成を簡略化することができ、それぞれの小径化及び低コスト化を図ることができる。更に、光ダクト１０２及び排気管１０４のそれぞれのメンテナンス性が良好になると共に、配設自由度が向上する。
【００２７】
また、本実施形態においても、放光口１３から放光された自然光により、浴槽２に溜めた水の水面を輝かせることができる。これにより、入浴時の快適性が向上する。
【００２８】
更に、点検口１５は排気口１１及び放光口１３の双方から適度に離隔しているため、点検作業者が点検口１５から上半身を乗り出して排気装置１２及び光ダクト１０２などの点検作業を行う際の作業性が良好である。更にまた、天井４が２枚のパネル材５及び６により構成されているため、浴室ユニット１の搬入性及び施工性が優れている。そして、排気口１１及び放光口１３と点検口１５とが相互に異なるパネル材に形成されているため、パネル材の強度が良好である。また、排気口１１と放光口１３との間の距離ｄが１００ミリメートル以上であるため、パネル材の強度がより良好である。
【００２９】
以上、本発明の実施形態を参照しつつ、本発明の特徴を説明した。しかし、本発明は、これらの実施形態に限定されるものではなく、前述の各実施形態に係る浴室ユニットを構成するいずれかの要素について、当業者が適宜追加、省略又は設計変更を加えたものであっても、本発明の要旨を備えたものであれば、本発明の範囲に包含される。例えば、放光口にはブラケットが取り付けられていてもよい。また、前述の各実施形態においては、屋外から浴室ユニット内に外光を導入する導光設備が光ダクトである例を示したが、本発明はこれに限定されず、導光設備は例えば光ファイバであってもよい。
【図面の簡単な説明】
【００３０】
【図１】本発明の第１の実施形態に係る浴室ユニットが設けられた建築物を例示する模式的断面図である。
【図２】第１の実施形態に係る浴室ユニットを例示する斜視図である。
【図３】第１の実施形態に係る浴室ユニットを例示する模式的上面図である。
【図４】本発明の第２の実施形態に係る浴室ユニットを例示する模式的上面図である。
【符号の説明】
【００３１】
１、３１  浴室ユニット、２  浴槽、３  洗い場、４  天井、５、６  パネル材、５ａ  頭側の部分、５ｂ  足側の部分、１１  排気口、１２  排気装置、１３  放光口、１４  透光板、１５  点検口、１６  点検口蓋、２１  水栓、２２  足側の面、２３  鏡、２４  収納棚、２５  シャワー、２６  カウンター、２７  人工照明、１０１  住宅、１０２  光ダクト、１０３  採光部、１０４  排気管、ｄ  距離、Ｌ  外光
【図１】
2008082089.tif 000003
【図２】
2008082089.tif 000004
【図３】
2008082089.tif 000005
【図４】
2008082089.tif 000006